(57)【特許請求の範囲】
【請求項１】
長方形の光源基板であって長辺方向に並んで配置される複数の光源を備える光源基板を長辺方向に複数並べて配置した光源ユニットにおいて、
前記光源基板は、短辺部位と長辺部位とを有し、
前記短辺部位は、他の光源基板の短辺部位と当接し、
前記長辺部位には、前記他の光源基板と電気的に接続する電気コネクタが設置され、
前記複数の光源のうちの隣り合う光源同士の間の距離は、前記複数の光源のうちの前記短辺部位の側の端の光源と前記短辺部位との距離の２倍であることを特徴とする光源ユニット。
【請求項２】
前記光源ユニットは、さらに、
複数の前記光源基板を底部に取り付ける断面略凹状の枠体を備え、
前記枠体は、側面に前記電気コネクタを挿通させる挿通孔を備える
ことを特徴とする請求項１に記載の光源ユニット。
【請求項３】
前記光源ユニットは、さらに、
複数の前記光源基板を覆うカバー部材を備える
ことを特徴とする請求項１または２に記載の光源ユニット。
【請求項４】
器具本体と、
請求項１〜３のいずれかに記載の光源ユニットと
を備える照明器具。
【発明の詳細な説明】
【技術分野】
【０００１】
本発明は、ＬＥＤ（発光ダイオード）を光源として用いた光源ユニット及び光源ユニットを備える照明器具に関する。
【背景技術】
【０００２】
光源ユニットを電気的に接続する方法として、光源ユニットを長手方向に接続する技術がある（特許文献１）。また、光源ユニットへの透光性カバーの配置に関する先行技術がある（特許文献２）。
【先行技術文献】
【特許文献】
【０００３】
【特許文献１】特許第４０６１４７９号
【特許文献２】特開２００８−１６６０９７号
【発明の概要】
【発明が解決しようとする課題】
【０００４】
従来では、略長方形の光源ユニットを長手方向に連結する場合、物理的な連結部分で電気的にも接続できる構造であるため、連結部分での電気的接続が外観的な美しさを損なってしまうとともに、物理的及び電気的な接続を簡単・確実に行いにくいという課題がある。
【０００５】
また、光源ユニット連結時に隣り合う透光性カバーの間に不連続な隙間が発生するという意匠上の課題もある。
【０００６】
本発明は、上記のような課題を解決するためになされたものであり、光源基板の側辺（長辺部位）に電気的に接続するための電気コネクタを配置するとともに、連結された複数の光源基板に対して１つの透光性カバーを配置する。これにより、光源基板間の電気的接続を意匠性を損ねることなく簡単・確実に行うことができ、かつ、透光性カバーの連結部分の隙間の発生をなくすことができる光源ユニットを提供することを目的とする。
【課題を解決するための手段】
【０００７】
本発明に係る光源ユニットは、複数の光源部を備える光源ユニットにおいて、前記複数の光源部の各光源部は、他の光源部と物理的に連結される連結部位と、前記連結部位以外の非連結部位と、前記他の光源部と電気的に接続するための電気コネクタであって、前記非連結部位に設置される電気コネクタとを備えることを特徴とする。
【発明の効果】
【０００８】
本発明に係る光源ユニットは、複数の光源部を備える光源ユニットであって、前記複数の光源部の各光源部は、他の光源部と物理的に連結される連結部位と、前記連結部位以外の非連結部位と、前記他の光源部と電気的に接続するための電気コネクタであって、前記非連結部位に設置される電気コネクタとを備えるので、光源部（光源基板）間の物理的接続及び電気的接続に関し、意匠性を損ねることなく簡単・確実に行うことができるという効果を奏する。
【図面の簡単な説明】
【０００９】
【図１】実施の形態１に係る照明器具１００の一部破断斜視図である。
【図２】実施の形態１に係る照明器具１００の要部断面図である。
【図３】実施の形態１に係る光源ユニット５０の一部破断平面図であり、図３（ａ）は単位光源ユニット５０１ａの一部破断平面図、図３（ｂ）は３つの単位光源ユニット５０１ａ，５０１ｂ，５０１ｃが連結された光源ユニット５０を示す一部破断平面図である。
【図４】図３（ｂ）のＥ−Ｅ断面図であり、単位光源ユニット５０１ａのコネクタ１０の位置での断面を示す図である。
【図５】実施の形態１に係る光源ユニット５０のバリエーション（ａ），（ｂ）を示す図である。
【図６】ＬＥＤ基板４０１の連結方式のバリエーションを示す図である。
【発明を実施するための形態】
【００１０】
実施の形態１．
図１は、実施の形態１に係る照明器具１００の一部破断斜視図である。図２は、実施の形態１に係る照明器具１００の要部断面図である。図１〜図２を用いて、実施の形態１に係る照明器具１００の全体構成について説明する。
【００１１】
本実施の形態に係る照明器具１００は、ライン形の照明器具である。照明器具１００は、長手方向に長く短手方向に短いライン形（直線形、棒状）であることから、直線的に連続した照射が可能な照明器具である。
【００１２】
照明器具１００は、例えば、天井面等の取付面に取り付けられる。取付面は、床面、壁面等でもよい。図１では、照明器具１００は、断面略逆凹字形（断面略逆Ｕ字形）となっているが、例えば、天井面に取り付けられる場合には、図１における下側が天井面側となる。以下において、図面の下側（すなわち取付面の側）を取付面側、図面の上側を照射方向側（照明器具の光源で照射する方向の側）と呼ぶものとする。
【００１３】
照明器具１００は、器具本体４と、光源ユニット５０とを備える。器具本体４は、長手方向に長く、短手方向に短い、ライン形である。すなわち、器具本体４を照射方向側から、あるいは取付面側から視ると、細長い略長方形を成している。光源ユニット５０は、複数の単位光源ユニット５０１（５０１ａ，５０１ｂ）が長手方向に連結されて構成されている。光源ユニット５０については後述する。
【００１４】
器具本体４は、断面略逆凹字形である。器具本体４の取付面側の面には、器具本体４が内側に凹んだ部分である本体凹部５を備える。本体凹部５は、器具本体４の取付面側の面の短手方向の略中心部を、長手方向に直線状に形成される。本体凹部５は、器具本体４の取付面側の面に長辺方向に直線状に内側に突出して形成されている。すなわち、器具本体４の取付面側の面の内側には、短手方向の略中心に、長手方向に連続した直線状に形成された台（本体光源取付部４１）が形成される。すなわち、本体凹部５と本体光源取付部４１とは、表裏一体の関係である。
【００１５】
また、図１、図２に示すように、器具本体４は、本体凹部５の両側に、取付面に取り付けられる被取付面４３ａ，４３ｂを備える。また、本体光源取付部４１（本体凹部５）の両側には、側壁部７ａ，７ｂが形成される。本体光源取付部４１（本体凹部５）の両側には、側壁部７ａと被取付面４３ａと本体側面４５ａと本体照射側面４６ａとから形成される空間である本体空間部４２ａと、側壁部７ｂと被取付面４３ｂと本体側面４５ｂと本体照射側面４６ｂとから形成される空間である本体空間部４２ｂとが形成される。本体空間部４２ａ，４２ｂには、電源端子台１１、点灯装置等が配設された電源部１２等が収納される。本実施の形態では、本体空間部４２ａに、電源端子台１１、電源部１２、電線８ａ，８ｂ，８ｃ等が収納される。
【００１６】
電線８ａは、外部電源と電源端子台１１とを接続する電線である。側壁部７ａには、電線８ａを外部に挿通させるための電線穴６が形成されている。また、電線８ｃは、電源端子台１１と電源部１２とを接続する。
【００１７】
電源コネクタ１３は、光源ユニット５０に電源や信号等を供給するためのコネクタである、電源部１２と電線８ｄにより接続されている。また、コネクタ１０（電気コネクタの一例）は、後述する２つの光源基板を電気的に接続するためのコネクタであり、電線８ｂにより接続されている。
【００１８】
器具本体４の照射方向側の面には、短辺方向の所定の幅で、長辺方向に直線状に開口されている光源ユニット取付開口部４７が形成されている。光源ユニット取付開口部４７は、光源ユニット５０を納めるための開口部である。
【００１９】
器具本体４が、取付面に取り付けられると、器具本体４と取付面の間には、本体凹部５と取付面との間に空間が形成される。この空間を空間部４４とする。図２に示すように、空間部４４は、本体空間部４２ａと本体空間部４２ｂとの間に長辺方向に連続して形成される。空間部４４は、幅Ｌである。空間部４４は、例えば、本体空間部４２ａから電線穴６を通過して引き出された電線８ａを通過させたり、光源や電気部品の放熱を促進させたりする。
【００２０】
光源ユニット５０は、複数の単位光源ユニット５０１（５０１ａ，５０１ｂ）から構成される。単位光源ユニット５０１は、ＬＥＤ基板４０１（光源部の一例）、枠体３を備える。以下において、単位光源ユニット５０１ａはＬＥＤ基板４０１ａ、枠体３ａを備え、単位光源ユニット５０１ｂはＬＥＤ基板４０１ｂ、枠体３ｂを備えると記載する場合もある。また、後述するその他の各単位光源ユニット５０１の備える構成部についても、符号の付記（ａ，ｂ，ｃ等）により各単位光源ユニット５０１に対応する構成部を表すものとする。
【００２１】
ＬＥＤ基板４０１（４０１ａ，４０１ｂ）は、複数のＬＥＤ１（光源）が長辺方向に並んで配置された略長方形（ライン形）の基板である。複数のＬＥＤ基板４０１（４０１ａ，４０１ｂ）は、複数の単位光源ユニット５０１が長辺方向に複数連結されることにより、連結ＬＥＤ基板を構成する。ＬＥＤ基板４０１（４０１ａ，４０１ｂ）は、短辺部位と長辺部位とを有する略長方形の光源基板であり、短辺部位を他のＬＥＤ連結部位とし、長辺部位を前記非連結部位としＬＥＤ基板４０１（４０１ａ，４０１ｂ）の連結方法については、後述する。
【００２２】
枠体３は、断面略台形状（略凹字状、Ｕ字状）である。枠体３は、底部３２と、底部３２の両側に側面３１を備え、底部３２に対向する面は開放されている。２つの側面３１は、底部３２から対向する開放面にかけて広がるように形成される。側面３１の内側は反射板となる。枠体３の内側の斜面部（側面３１）は、ＬＥＤ１からの光を反射させるための反射面であり、白色塗装が施される。
【００２３】
枠体３の底部３２には、ＬＥＤ基板４０１が配置される。図２に示すように、枠体３の底部３２の両側辺近傍には、枠体３にＬＥＤ基板４０１をスライドさせて取り付けるためのスライド溝３３が設けられている。ＬＥＤ基板４０１は、短辺方向の両側辺を枠体３の底部３２のスライド溝３３にスライドさせることにより、枠体３に取り付けられる。
【００２４】
透光性カバー９は、枠体３の開放面を塞ぐように取り付けられる。図１に示す光源ユニット５０は、２つの単位光源ユニット５０１ａ，５０１ｂより構成されている。本実施の形態に係る透光性カバー９は、２つの単位光源ユニット５０１ａ，５０１ｂからなる光源ユニット５０を、１つの透光性カバー９により覆っている。図２に示すように、枠体３の開放面の両側の縁部（すなわち、側面３１の照射方向側の端部）には、透光性カバー９をスライドさせて取り付けるためのカバー用スライド溝３５が設けられている。
【００２５】
すなわち、光源ユニット５０は、断面が略台形状の枠体３が複数連結されて外郭を構成し、この枠体３の開放面側に１枚の透光性カバー９を配置する。この開放面から底部３２にかけて形成された側面３１の内側と、底部３２とは平面である。底部３２の内面側に複数の光源（ＬＥＤ１）を実装したＬＥＤ基板４０１を配置し、台形の斜面部内面（反射板）は白色である。
【００２６】
光源ユニット５０は、器具本体４の照射方向側の面に形成された光源ユニット取付開口部４７に取り付けられる。光源ユニット５０は、底部３２を器具本体４の本体光源取付部４１に当接させて、ネジ止め等されることにより、器具本体４に取り付けられる。光源ユニット５０は、光源ユニット取付開口部４７に取り付けられた際に、器具本体４の本体照射側面４６ａ，４６ｂと略同一平面上に透光性カバー９が位置するように取り付けられるのが好適である。
【００２７】
空間部４４の側面である側壁部７ａには、外部電源から配線された電線等を挿通させるための電線穴６を備える。図１に示すように、電線穴６から挿入された電線８ａは、本体空間部４２ａに設置された電源端子台１１に接続される。また、電線８ｃは、電源端子台１１と本体空間部４２ａに設置された電源部１２とを接続する。電線８ｄは、電源部１２と光源ユニット５０の電源コネクタ１３とを接続する。これらの配線は、本体空間部４２ａ内に収納されている。
【００２８】
ＬＥＤ基板４０１ａとＬＥＤ基板４０１ｂとは、２つのＬＥＤ基板４０１ａ，４０１ｂが物理的に連結されると共に、電気的にも連結される必要がある。
【００２９】
本実施の形態に係るＬＥＤ基板４０１（光源部の一例）は、他のＬＥＤ基板４０１と物理的に連結される部位である連結部位と、連結部位以外の部位である非連結部位と、他のＬＥＤ４０１と電気的に接続するためのコネクタ１０（電気コネクタ）であって、非連結部位に設置されるコネクタ１０とを備えることを特徴とする。２つのコネクタ１０は、電線８ｂにより接続されている。ＬＥＤ基板４０１ａ，４０１ｂの連結方法については後述する。
【００３０】
図３は、実施の形態１に係る光源ユニット５０の一部破断平面図であり、図３（ａ）は単位光源ユニット５０１ａの一部破断平面図、図３（ｂ）は３つの単位光源ユニット５０１ａ，５０１ｂ，５０１ｃが連結された光源ユニット５０を示す一部破断平面図である。図４は、図３（ｂ）のＥ−Ｅ断面図であり、単位光源ユニット５０１ａのコネクタ１０の位置での断面を示す図である。図３から図４を用いて、単位光源ユニット５０１及び複数の単位光源ユニット５０１ａ，５０１ｂ，５０１ｃからなる光源ユニット５０の詳細構成について説明する。
【００３１】
図３（ａ），（ｂ）に示すように、単位光源ユニット５０１ａの底部３２ａ（図示なし）には、ＬＥＤ基板４０１ａ（光源部の一例）が取り付けられている。ＬＥＤ基板４０１ａには、５つのＬＥＤ１ａ（発光ダイオード）が備えられている。ＬＥＤ基板４０１ａは、複数のＬＥＤ１（光源）が長辺方向に並んで配置された略長方形（ライン形）の基板である。連結ＬＥＤ基板は、同一の構成のＬＥＤ基板４０１ａ，４０１ｂ，４０１ｃが長辺方向に連結されている。
【００３２】
ＬＥＤ基板４０１ａは、短辺部位と長辺部位とを有する略長方形の光源基板である。また、ＬＥＤ基板４０１ａは、他のＬＥＤ基板４０１と物理的に連結される連結部位４０２ａと、連結部位以外の非連結部位４０３ａと、他のＬＥＤ基板４０１と電気的に接続するためのコネクタ１０ａであって、非連結部位４０３ａに設置されるコネクタ１０ａとを備える。ＬＥＤ基板４０１ａでは、短辺部位が他のＬＥＤ基板４０１と連結する連結部位４０２ａとなり、長辺部位が連結部位４０２ａ以外の非連結部位４０３ａとなる。
【００３３】
ここで、ＬＥＤ基板４０１ｂ，４０１ｃについてもＬＥＤ基板４０１ａと同様の構成であるものとする。以下において、各単位光源ユニット５０１（５０１ａ，５０１ｂ，５０１ｃ）あるいは各ＬＥＤ基板４０１（４０１ａ，４０１ｂ，４０１ｃ）の備える構成部については、付記（ａ，ｂ，ｃ）により対応するＬＥＤ基板４０１あるいは対応する単位光源ユニット５０１を示すものとする。
【００３４】
ＬＥＤ基板４０１ａは、非連結部位４０３ａ（長辺部位）の所定の位置にコネクタ１０ａを備える。コネクタ１０ａは、隣のＬＥＤ基板４０１と電気的に接続するためのコネクタである。コネクタ１０ａは、ＬＥＤ基板４０１ａの両側の側辺の所定の位置に設置される。
【００３５】
図３（ｂ）に示すように、ＬＥＤ基板４０１ａの連結部位４０２ａとＬＥＤ基板４０１ｂの連結部位４０２ｂとの、物理的な連結部分を連結部Ｃとする。ＬＥＤ基板４０１ａの非連結部位４０３ａの連結部Ｃ近傍には、ＬＥＤ基板４０１ｂと電気的に接続するためのコネクタ１０ａｂが、ＬＥＤ基板４０１ｂの非連結部位４０３ｂの連結部Ｃ近傍には、ＬＥＤ基板４０１ａと電気的に接続するためのコネクタ１０ｂａが配置される。そして、コネクタ１０ａｂとコネクタ１０ｂａとは、電線８ｂにより接続されている。これにより、物理的な連結部Ｃでは、物理的な連結のみがなされ、ＬＥＤ基板４０１ａとＬＥＤ基板４０１ｂとの物理的な連結は簡単となる。また、ＬＥＤ基板４０１同士の電気的な接続は、連結部Ｃではなく、ＬＥＤ基板の非連結部位４０３ａ，４０３ｂでなされるので、連結部Ｃの外形上（形状・意匠）には影響を及ばさない。つまり、ＬＥＤ基板４０１ａの端部ＢａとＬＥＤ基板４０１ｂの端部Ａｂとは、当接するだけで物理的に連結され、あたかも一体に形成されているかのように構成される。
【００３６】
ＬＥＤ基板４０１ａの端部Ａａ側から端部Ｂａ側にかけて、５つのＬＥＤ１ａが、略均一の間隔で並んで配置されている。すなわち、４箇所にある隣り合う２つのＬＥＤ１ａの間隔は、略等しい。隣り合う２つのＬＥＤ１ａの間隔をＬ３とする。また、端部Ａａと隣のＬＥＤ１ａとの間隔と、端部Ｂａと隣りのＬＥＤ１ａとの間隔とは略等しい。端部Ａａ（端部Ｂａ）と隣のＬＥＤ１ａとの間隔をＬ２とする。ＬＥＤ基板４０１ｂ、ＬＥＤ基板４０１ｃに関しても同様の構成とする。
【００３７】
また、図３（ｂ）に示すように、ＬＥＤ基板４０１ａの連結部位４０２ａとＬＥＤ基板４０１ｂの連結部位４０２ｂとの連結部分を連結部Ｃとする。連結部Ｃを挟んで隣り合うＬＥＤ１ａとＬＥＤ１ｂとの間隔は、Ｌ４であるとする。ＬＥＤ基板４０１ｂの連結部位４０２ｂとＬＥＤ基板４０１ｃの連結部位４０２ｃとの連結部分を連結部Ｄとする。連結部Ｄを挟んで隣り合うＬＥＤ１ｂとＬＥＤ１ｃとの間隔も、Ｌ４であるとする。
【００３８】
このとき、「Ｌ３≒Ｌ２×２≒Ｌ４」の式が成り立つことが好ましい。すなわち、ＬＥＤ基板４０１では、隣り合うＬＥＤ１同士の距離Ｌ３は略等しい。また、端部（端部Ａａと端部Ｂａ）とＬＥＤ１との距離Ｌ２は、Ｌ３の略２分の１である。したがって、Ｌ２の２倍であるＬ４は、Ｌ３と略等しい。
【００３９】
このようにＬＥＤ基板４０１にＬＥＤ１を配置することで、長辺方向に所定の数のＬＥＤ基板４０１を連結させても、隣り合うＬＥＤ１同士の間隔は略等しくなる。したがって、光源ユニット５０は、光源として均一に光を照射することができる。
【００４０】
図４は、図３（ｂ）のＥ−Ｅ断面図である。図４に示すように、枠体３ａのコネクタ１０ａｂに対応する部分（側面３１ａ）には、コネクタ１０ａｂを挿通させる枠切り欠き部３４ａ（挿通孔）を備える。コネクタ１０ａｂの枠体３ａの内側に位置する端部はＬＥＤ基板４０１ａに接続する基板接続部１０１ａｂであり、コネクタ１０ａｂの枠体３ａの外側に位置する端部は電線８ｂと接続される電線接続部１０２ａｂである。
【００４１】
コネクタ１０ａｂは、枠切り欠き部３４ａに挿通されることにより、基板接続部１０１ａｂがＬＥＤ基板４０１ａに接続されるとともに、電線接続部１０２ａｂが枠体３ａの外側に位置し、電線８ｂと接続され隣のＬＥＤ基板４０１ｂのコネクタ１０ｂａに接続することが可能となる（図３（ｂ）参照）。
【００４２】
図５は、実施の形態１に係る光源ユニット５０のバリエーション（ａ），（ｂ）を示す図である。上述したように、図１では、光源ユニット５０は、複数の単位光源ユニット５０１ａ，５０１ｂから構成され、透光性カバー９は光源ユニット５０の全体を覆う１枚で形成されるとした。図５（ａ）では、単位光源ユニット５０１ａは、枠体３ａ、ＬＥＤ基板４０１ａ、透光性カバー９ａから構成され、単位光源ユニット５０１ｂは、枠体３ｂ、ＬＥＤ基板４０１ｂ、透光性カバー９ｂから構成されるとしてもよい。単位光源ユニット５０１ａ，５０１ｂを長辺方向に連結することで、単位光源ユニット５０１ａと単位光源ユニット５０１ｂとの連結部分に透光性カバー９の連結部分であるカバー連結部９０が形成される。このように構成することで、器具本体４の長さによって異なる長さの透光性カバー９を製造することなく、一律に単位光源ユニット５０１の長さの透光性カバー９を製造すればよいので、製造コストを抑えることができる。
【００４３】
また、図１では、枠体３は、単位光源ユニット５０１ａの枠体３ａと単位光源ユニット５０１ｂの枠体３ｂとが連結されて形成されるものであった。図５（ｂ）では、枠体３は、一体形成されているものとする。図５（ｂ）に示す光源ユニット５０は、枠体３と透光性カバー９とがともに一体形成されているとともに、内部に配置する複数のＬＥＤ基板４０１も、上述したようにあたかも一体形成されているかのように構成されている。したがって、図５（ｂ）に示す光源ユニット５０により、より意匠性の高い照明器具１００を提供することができる。
【００４４】
図６は、ＬＥＤ基板４０１の連結方式のバリエーションを示す図である。図６に示すように、長辺方向に物理的に連結された単位光源ユニット５０１ａ及び単位光源ユニット５０１ｂ（連結ＬＥＤ基板６０１ａとする）と、長辺方向に物理的に連結された単位光源ユニット５０１ｃ及び単位光源ユニット５０１ｄ（連結ＬＥＤ基板６０１ｂとする）とを、短辺方向に並べて連結することもできる。単位光源ユニット５０１ａと単位光源ユニット５０１ｂとの連結方法、及び、単位光源ユニット５０１ｃと単位光源ユニット５０１ｄとの連結方法は、複数の単位光源ユニット５０１を長辺方向に連結する方法であり、上述したとおりである。単位光源ユニット５０１ｂと単位光源ユニット５０１ｃとの連結方法、すなわち、短辺方向に電気的に接続する方法について説明する。
【００４５】
ＬＥＤ基板４０１ｂは、ＬＥＤ基板４０１ｃ側の側辺（非連結部位４０３ｂ）に、４０１ｃと電気的に接続するためのコネクタ１０ｂｃを備える。コネクタ１０ｂｃは上述したように、枠体３ｂの枠切り欠き部３４ｂｃに挿通している。また、ＬＥＤ基板４０１ｃも同様に、ＬＥＤ基板４０１ｂ側の側辺（非連結部位４０３ｃ）に、ＬＥＤ基板４０１ｂと電気的に接続するためのコネクタ１０ｃｂを備える。コネクタ１０ｃｂは上述したように、枠体３ｃの枠切り欠き部３４ｂｃに挿通している。コネクタ１０ｂｃの電線接続部１０２ｂｃとコネクタ１０ｃｂの電線接続部１０２ｃｂとが電線８ｂにより接続され、ＬＥＤ基板４０１ｂとＬＥＤ基板４０１ｃとが電気的に接続される。予めコネクタ１０を挿通させるための枠切り欠き部３４を、枠体３の端部近傍の対向する２箇所（合計４箇所）に形成しておくことで、長辺方向の連結だけでなく並列方向の連結にも対応させることができる。
【００４６】
本実施の形態に係る照明器具１００によれば、枠体３とコネクタ１０と透光性カバー９をこのように配置することにより、大光量の光源を意匠を犠牲にすることなく実現することができる。
【符号の説明】
【００４７】
１，１ａ，１ｂ，１ｃ  ＬＥＤ、３，３ａ，３ｂ，３ｃ  枠体、５  本体凹部、６  電線穴、７ａ，７ｂ  側壁部、８，８ａ，８ｂ，８ｃ，８ｄ  電線、４  器具本体、９  透光性カバー、１０，１０ａｂ，１０ｂａ，１０ｂｃ，１０ｃｂ，１０ｃｄ，１０ｄｃ  コネクタ、１１  電源端子台、１２  電源部、１３  電源コネクタ、３１，３１ａ  側面、３２  底部、３３  スライド溝、３４，３４ａ，３４ｂ，３４ｃ  枠切り欠き部、３５  カバー用スライド溝、４１  本体光源取付部、４２，４２ａ，４２ｂ  本体空間部、４３ａ，４３ｂ  被取付面、４４  空間部、４５ａ，４５ｂ  本体側面、４６ａ，４６ｂ  本体照射側面、４７  光源ユニット取付開口部、５０  光源ユニット、９０  カバー連結部、１００  照明器具、１０１，１０１ａｂ  基板接続部、１０２，１０２ａｂ  電線接続部、４０１，４０１ａ，４０１ｂ，４０１ｃ，４０１ｄ  ＬＥＤ基板、４０２ａ，４０２ｂ，４０２ｃ  連結部位、４０３ａ，４０３ｂ，４０３ｃ  非連結部位、５０１，５０１ａ，５０１ｂ，５０１ｃ，５０１ｄ  単位光源ユニット、６０１ａ，６０１ｂ  連結ＬＥＤ基板。
【図１】
0005500892.tif 000002
【図２】
0005500892.tif 000003
【図３】
0005500892.tif 000004
【図４】
0005500892.tif 000005
【図５】
0005500892.tif 000006
【図６】
0005500892.tif 000007